(57)【要約】      （修正有）【課題】重症急性呼吸器症候群ＳＡＲＳ＝サーズ）等の院内感染防止のために細菌・ウイルス等を殺菌すると共に、害虫駆除・悪臭防止・芳香の促進等により、住環境を良好にする。【解決手段】細菌・ウイルス等を殺菌する手段と、害虫を駆除する手段と、芳香を発生する手段と、悪臭を防止する手段等を有し、これらの手段を相互の制御する制御手段等を有する。【選択図】  図２
2005021546.tif 000002
【特許請求の範囲】
【請求項１】
空気に含まれている細菌・ウイルス等を殺菌する手段を有する多目的住環境浄化装置。
【請求項２】
害虫駆除剤を加熱蒸散して害虫を駆除する手段を有する多目的住環境浄化装置。
【請求項３】
芳香剤を加熱蒸散して芳香を行う手段を有する多目的住環境浄化装置。
【請求項４】
空気に含まれている細菌・ウイルス等を殺菌する手段と、除菌・脱臭する手段を有する多目的住環境浄化装置。
【請求項５】
害虫駆除剤を加熱蒸散して害虫を駆除する手段と、除菌・脱臭する手段を有する多目的住環境浄化装置。
【請求項６】
芳香剤を加熱蒸散して芳香を行う手段と、除菌・脱臭する手段を有する多目的住環境浄化装置。
【発明の詳細な説明】
【０００１】
【発明の属する技術分野】
本発明は、多目的住環境浄化装置に関し、特に重症急性呼吸器症候群（ＳＡＲＳ＝サーズ）等の病院内感染防止のための空気の浄化・ダニ等の害虫駆除・殺菌・悪臭防止・芳香の促進等、を効率良く行い住環境を浄化する装置を提供することを目的とする。
【０００２】
【従来の技術】
病院内の空気感染防止の対策として、空気中のウイルス・細菌を濾すこと等を目的とした装置が提案されている。
【特許文献１】
特開昭５８−１３０１０１。この特許文献の技術内容の概要は、オゾン発生器の周囲で放電現象によりオゾンが発生し、ファンが駆動することにより室内の空気が流路内に流入し、フイルタを通過するときに、細菌等を濾している。
【０００３】上記従来の装置においては、細菌を濾すこと等を目的とした装置であるので、世界的に発生した重症急性呼吸器症候群（ＳＡＲＳ＝サーズ）等の対策として十分でない。また、上記従来の装置においては、ダニ等の害虫駆除・除菌・悪臭防止・芳香の促進等を行うことが出来ない。
【０００４】
【発明が解決しようとする課題】本発明は、上記従来の世界的に発生した重症急性呼吸器症候群（ＳＡＲＳ＝サーズ）等の対策とし、細菌・ウイルス等を殺菌して院内感染等を防止すると共に、ゴキブリ及びダニ等の害虫駆除・芳香・防臭等を有効に行い、住環境を良好にする。
【課題を解決する手段】
【０００５】前期目的を達成するために、本発明における請求項１の多目的住環境浄化装置は、空気に含まれている細菌・ウイルス等を殺菌する手段を有する。
【０００６】前期目的を達成するために、本発明における請求項２の多目的住環境浄化装置は、害虫駆除剤を加熱蒸散して害虫を駆除する手段を有する。
【０００７】前期目的を達成するために、本発明における請求項３の多目的住環境浄化装置は、芳香剤を加熱蒸散して芳香を行う手段を有する。
【０００８】前期目的を達成するために、本発明における請求項４の多目的住環境浄化装置は、空気に含まれている細菌・ウイルス等を殺菌する手段と、除菌・脱臭する手段を有する多目的住環境浄化装置。
【０００９】前期目的を達成するために、本発明における請求項５の多目的住環境浄化装置は、害虫駆除剤を加熱蒸散して害虫を駆除する手段と、除菌・脱臭する手段を有する多目的住環境浄化装置芳香剤を加熱蒸散して芳香を行う手段を有する。
【００１０】前期目的を達成するために、本発明における請求項６の多目的住環境浄化装置は、芳香剤を加熱蒸散して芳香を行う手段と、除菌・脱臭する手段を有する。
【発明の実施の形態】
【００１１】次に本発明の多目的住環境浄化装置の具体的な実施の形態について、図面を参照しながら詳細に説明する。第１図は外観図で、例えば、高さが約６０ｃｍ・横が約３０ｃｍ・奥行が約３０ｃｍの直方体状のケーシング１には、上面に長方形状の空気送入口２が形成されていると共に、側面の下部近傍に空気排出口３が形成されている。また前記ケーシング１の前面には、モード切換スイッチ４・タイマ５・温度センサ６・モード表示部７・ファン強弱切換スイッチ８・害虫駆除剤及び芳香剤等の液体不足や電動機の過負荷等を警告する警報灯９が取り付けられ、３０はフイルタを示す。
【００１２】第２図は、概略構成を示す説明図で、前記ケーシング１には、液体の害虫駆除剤１０が収納されている害虫駆除剤収納容器１１が取り付けられている。この害虫駆除剤収納容器１１の上部には、害虫駆除剤１０を注入する注入口１１Ａが形成されていると共に、害虫駆除剤収納容器１１の下部には、害虫駆除剤１０が流出する吸液芯１１Ａが形成されている。前記害虫駆除剤１０には、たとえば、加熱蒸散剤の場合で、昆虫成長阻害剤としてハイドロプレンを用いた場合には、ハイドロプレンが１０重量％以下の濃度で、吸液芯１１Ａの上部は、たとえば、１２０℃・１５０℃・１７０℃の温度で加熱される。このような害虫駆除剤１０が加熱蒸散した場合は、蒸気の平均粒子径が小さいので、拡散性に優れ隙間等に容易に入り込むことが出来る。また、害虫駆除剤１０が蒸散して害虫に作用するので、紫外線等の光・酸化による分解等が少ない。前記吸液芯１１Ａは、無機物質及び有機物質を糊剤で粘結又は熱可塑性樹脂で燒結させた多孔質吸液芯又は繊維質物質である。前記害虫駆除剤１０は、昆虫成長阻害剤を炭素数１２〜１８の脂肪族飽和炭化水素に溶解して使用することにより、たとえば、１２０℃・１５０℃・１７０℃の加熱温度で前記昆虫成長阻害剤を蒸散させる。
【００１３】第３図は、本発明に係わる多目的住環境浄化装置の動作を説明するフローシャート図である。第３図において、制御手段１００Ａには、蒸散温度の相関における最適量の害虫駆除剤１０・芳香剤の蒸散温度の相関における最適量を予め組み込んである。また、制御手段１００Ａには、イナスイオン発生器５０及びオゾン発生器６０の温度・湿度の相関における最適量のマイナスイオン発生量相関における最適量を予め組み込んである。
【００１３】
また、前記ケーシング１には、ボックス２０が取り付けられ、このボックス２０に、水タンク２１が取り付けられている。この水タンク２１の上部には、エアーフイルタ２２・ゲージ付エアーレギュレータ２３・エアーコンプレッレ２４・噴霧ノズル２５Ａを有するサイホン管２５が、該水タンク２１に連通するように取り付けられている。前記水タンク２１の低部には、負極が水に接する位置で永久磁石２６が取り付けられている。前記ボックス２０には、流出口２７が形成されている。また、前記ケーシング１には、給水口２８・水量ケージ２９が取り付けられている。
【００１４】前記ケーシング１の上部には、フイルタ３０が取り付けられて、このフイルタ３０により空気送入口２から送入される空気中の塵埃等が送入を阻止される。
【００１５】前記フイルタ３０の近傍には、ＵＶランプ４０が取り付けられて、このＵＶランプ４０から発生するマイナスイオンは、除菌・脱臭等を行う。
【００１６】前記ＵＶランプ４０の近傍には、マイナスイオン発生器５０が取り付けられ、このマイナスイオン発生器５０は、前記水タンク２１・エアーフイルタ２２・ゲージ付エアーレギュレータ２３・エアコンプレッレ２４・噴霧ノズル２５Ａを有するサイホン管２５・水タンク２１・永久磁石２６等による生成される磁化水と共に、適宜のマイナスイオンを発生させる。
【００１７】前記ＵＶランプ４０の近傍には、オゾン発生器６０が取り付けられ、このオゾン発生器６０からは、オゾン許容量（労働環境基準値）である０．１ｐｐｍ以内のオゾンが発生する。
【００１８】前記害虫駆除剤収納容器１１及び前記ボックス２０で形成する空間には、ファン７０が取り付けている。
【００１９】前記害虫駆除剤収納容器１１の吸液芯１１Ａの近傍には、ステンレス材からなる受皿部剤８０が取外自在に取り付けられている。この受皿部材８０には、ヒータ９０が取り付けられて、このヒータ８０に断熱部材９５が取り付けられている。
【００２０】また、ケーシング１には、制御手段１００Ａ・判断手段１００Ｂ等の電子回路が実装されている電子回路基板１００が取り付けられている。
【００２１】第３図は、本発明に係わる多目的住環境浄化装置の動作を説明するフローシャート図である。第３図において、制御手段１００Ａには、蒸散温度の相関における最適量の害虫駆除剤１０・芳香剤の蒸散温度の相関における最適量を予め組み込んである。また、制御手段１００Ａには、イナスイオン発生器５０及びオゾン発生器６０の温度・湿度の相関における最適量のマイナスイオン発生量を予め組み込んである。
【００２２】前記制御手段１００Ａには、タイマ５及び温度センサ６から信号が供給され、これらの信号に対応して下記の制御を行う。
【００２３】前記判断手段１００Ｂには、切換手段の信号及びモード切換スイッチ４の信号が供給され、このモード切換スイッチ４はモード表示部７に接続されている。また、前記制御手段１００Ａには、虫駆除剤収納容器１１の吸液芯１１Ａから流出する害虫駆除剤１０を適量に制御すると共に、後記芳香剤を適量に制御する。また、制御手段１００Ａは、ＵＶランプ４０の発光量を制御する。また、制御手段１００Ａは、マイナスイオン発生器５０におけるマイナスイオンの発生量を制御する。また、制御手段１００Ａは、オゾン発生器６０におけるオゾン発生量を制御する。
【００００】次に本発明において前記の第１図及び第２図により説明しない実施例に関して説明する。芳香剤収納容器は、前記害虫駆除剤収納容器１１と同様な形態から構成され、この芳香剤には植物性・動物性の天然香料又はアロマテラピ・炭化水素・アルコール・ケトン・クルトン・オキシド・エステル等の人工香料を、単独又は２種以上を混合して使用する。
【００２６】次に空気中の細菌・ウイルス等を殺菌する場合の作動について説明する。水タンク２１に収納されていた水は、永久磁石２６の負極により磁化水に生成されている。この磁化水は、エアコンプレッサ２４によりサイホン管２５により永久磁石２６の負極に当たる。このようにして、水が永久磁石２６の負極に当たった磁化水は、サイホン管２５のノズル２５Ａから霧状になって流出口２７より、フアン７０の方向に流動する。
上記のような状態において、前記ＵＶランプ４０が点灯中に、オゾン発生器６０が１０分間の駆動終了後に、マイナスイオン発生器５０が４０分間駆動する。このマイナスイオン発生器５０が４０分間駆動後に、再度、オゾン発生器６０が１０分間の駆動し、オゾン発生器６０が１０分間の駆動終了後に、マイナスイオン発生器５０が４０分間駆動する。
このように、オゾン発生器６０が１０分間駆動・マイナスイオン発生器５０が４０分間駆動・オゾン発生器６０が１０分間駆動・オゾン発生器６０が１０分間駆動あり、合計時間が１００分間で、空気中の細菌・ウイルス及びレジオネラ菌等の殺菌を行う。
【００２７】次に害虫を駆除する場合の作動について説明する。害虫駆除剤収納容器１１の吸液芯１１Ａから前記害虫駆除剤１０が、受皿部剤８０に滴下すると、この受皿部剤８０は、たとえば、１２０℃・１５０℃・１７０℃のいずれかの温度で加熱されているので、蒸散する。この蒸散する時間は、約２時間であり、加熱温度は、１２０℃・１５０℃・１７０℃のいずれかを、害虫の種類に対応して選択する。前記蒸散する時間である２時間が終了後に、オゾン発生器６０を約１０分間駆動し、この１０分間後にマイナスイオン発生器５０を約４０分間駆動する。このように、約２時間５０分で害虫駆除が終了する。
【００２８】次に芳香する場合の作動について説明する。ＵＶランプ４０が点している状態において、前記害虫駆除剤収納容器１１と同様な形態から構成されている芳香剤収納容器（図示省略）から、芳香剤（図示省略）が、受皿部剤８０に流出すると、受皿部剤８０は、たとえば、３０℃・５０℃・１００℃のいずれかの温度で加熱されているので、蒸散する。この蒸散する時間は、約３０分であり、加熱温度は、３０℃・５０℃・１００℃のいずれかを、芳香する環境に対応して選択する。前記蒸散する時間である約３０分後に、マイナスイオン発生器５０を約４０分間駆動する。このように、約１時間１０分で芳香が終了する。
【００２９】本発明は、上記実施例に限定されるものではなく、安定化二酸化塩素を使用しても良く、また、レナード方式を採用しても良い。さらに、上記の蒸散時間・オゾン発生器の駆動時間・マイナスイオン発生器の駆動時間・細菌及びウイルス等の種類・ダニ等の害虫の種類・芳香の嗜好等に適宜に対応するように、電子回路基板１００に実装されている電子部品を選定する。これにより、電子回路基板１００の制御手段」１００Ａ・判断手段１００Ｂは、上記の蒸散時間・オゾン発生器の駆動時間・マイナスイオン発生器の駆動時間は、細菌及びウイルス等の種類・ダニ等の害虫の種類・芳香の嗜好等に適宜に対応するように判断して制御する。
【発明の効果】
【００３０】以上説明したように、磁化水で強力なマイナスイオンが発生するので、空気に含まれている細菌・ウイルス等を殺菌することが出来る。このため、世界的に発生した重症急性呼吸器症候群（ＳＡＲＳ＝サーズ）等の対策としての院内感染防止に非常に有効である。
【００３１】また、害虫駆除剤の蒸散後に、オゾンとマイナスイオンを発生させているので、良好な環境の下でゴキブリ・ダニ等を非常に効率良く駆除することが出来る。
【００３２】さらに、芳香剤を蒸散後に、マイナスイオンを発生させているので、良好な環境の下で芳香を行うことが出来る。
【００００】以上説明したように、細菌及びウイルス等の殺菌・ダニ及びハウスダスト等の駆除・芳香・除菌・防臭等の多目的を効率良く行うことが出来るので、住環境が経済的に整備される。
【図面の簡単な説明】
【図１】本発明に係わる多目的住環境浄化装置の実施例を示す外観図。
【図２】本発明に係わる多目的住環境浄化装置の実施例の概略構成を示す説明図。．．
【図３】本発明に係わる多目的住環境浄化装置の実施例のフローチャート図。
【符号の説明】
１      ケーシング
２      空気送入口
３      空気送出口
４      モード切換スイッチ
５      タイマ
６      温度センサ
７      モード表示部
８      ファン切換スイッチ
９      警報灯
１０    害虫駆除剤
１１    害虫駆除剤収納容器
１１Ａ  吸液芯
２０    ボックス
２１    水タンク
２２    エアーフイルタ
２３    ゲージ付エアーレギュレータ
２４    エアーコンプレッサ
２５    サイホン管
２５Ａ  噴霧ノズル
２６    永久磁石
２７    流出口
２８    給水口
２９    水量ケージ
３０    フイルタ
４０    ＵＶランプ
５０    マイナスイオン発生器
６０    オゾン発生器
７０    フアン
８０    受皿部剤
９０    ヒータ
９５    断熱部剤
１００  電子回路基板
１００Ａ  制御手段
１００Ｂ  判断手段
【図１】
2005021546.tif 000003
【図２】
2005021546.tif 000004
【図３】
2005021546.tif 000005